(57)【特許請求の範囲】
【請求項１】
一方の帯体に形成した凹溝を他方の帯体に形成した凸条に嵌合させて一対の帯体同士を分離可能に結合してなる長尺のジッパーテープを上面の開口した箱体内に先端側より順次落下させて収納したジッパーテープの梱包構造であって、
前記箱体は、開口面から底面までの任意位置における収容空間横断面が同形状に形成され、
前記箱体内に敷設され前記底面と同形状の台板と、
該台板に前記箱体の内部高さと略同一高さで立設され基端から先端に向かって徐々に細くなる錐体状に形成されたポールと、
を有し、
前記ポールは、前記基端の直径が前記箱体の辺方向内法長さの２０〜４０％の範囲で形成されたことを特徴とするジッパーテープの梱包構造。
【請求項２】
前記ポールが、円錐形状であることを特徴とする請求項１記載のジッパーテープの梱包構造。
【請求項３】
前記ポールが、角錐形状であることを特徴とする請求項１記載のジッパーテープの梱包構造。
【請求項４】
前記ポールが、段ボール素材を母線で折り曲げて形成されたことを特徴とする請求項３記載のジッパーテープの梱包構造。
【請求項５】
前記台板に複数の前記ポールが立設されたことを特徴とする請求項１，２，３，４のいずれか１つに記載のジッパーテープの梱包構造。
【請求項６】
前記箱体内に樹脂製袋が収容され、該樹脂製袋の内部に前記台板、前記ポール、及び前記ジッパーテープが収容されたことを特徴とする請求項１，２，３，４，５のいずれか１つに記載のジッパーテープの梱包構造。
【発明の詳細な説明】
【技術分野】
【０００１】
本発明は、一方の帯体に形成した凹溝を他方の帯体に形成した凸条に嵌合させて一対の帯体同士を分離可能に結合してなる長尺のジッパーテープの梱包構造に関する。
【背景技術】
【０００２】
例えば樹脂製袋などのパッケージ開口を開閉自在とする開閉手段にジッパーテープがある。図９に示すように、ジッパーテープ１は、一方の帯体３に形成した凹溝５を他方の帯体７に形成した凸条９に嵌合させて一対の帯体３，７同士を分離可能に結合してなる。ジッパーテープ１は、押出成形によって長尺で製造され、製袋工場へ搬送されて樹脂製袋等へ溶着され使用される。このジッパーテープ１の搬送時の梱包形態としては、一般にリール状物へ巻き取ったリール巻き形態や、運搬用ダンボール箱などの箱体へランダムに落下させ梱包したバラ包装という形態とされ、製袋工場等への供給となる。
【０００３】
特に、製袋工場等において、ジッパーテープ１の送り装置などが必要ないこと、また、製袋機へジッパーテープ１を挿入する際の引き取り張力の低減が図れ、また、ジッパーテープ１を繋いで連続的に樹脂製袋等へ使用できることから、上記後者のバラ包装による梱包が広く利用されている。バラ包装に用いられる箱体１１内には同一径で形成した円筒状のポール１３が図１１に示す台板１５に起立して収容され、ポール１３は箱体１１の収容空間１９における略中央に立設配置される。ジッパーテープ１の製造装置は、製造直後に連続して押し出されるジッパーテープ１を水平方向に振り動かし、箱体１１内へランダムに積み重ねて収容する。一方、製袋工場へ運搬後、製袋機へ供給される際には、ジッパーテープ１の端部が箱体１１から取り出される。その際、図１２に示すようにポール１３が中央部に設置されていることから、略環状に積層収容されたジッパーテープ１が、ポール１３をガイドにして絡まり難くなって順次繰り出される。なお、図中、１７は箱体１１の蓋部（フラップ）を示す。
【発明の開示】
【発明が解決しようとする課題】
【０００４】
しかしながら、従来のジッパーテープの梱包構造は、同一径のポールが収容空間の中央で起立するため、収容空間内の空間が上下方向に均等な幅長で形成されることから、輸送中に内容物であるジッパーテープが移動し易くなり、巻き締めの状態と同様となって、その結果、上方からランダムに積層収容したジッパーテープ１が水平方向に移動してしまうことで片寄せられて、垂直方向の空間を形成してしまい、ジッパーテープ同士が密着状態となって絡み易くなる欠点があった。また、ポールが同一径で起立するため、段ボール箱の開口面に所定太さのポール先端が位置することとなり、ジッパーテープがポールに接触し易く、少なからず接触抵抗が発生して、纏わり付きによる取り出し不能や、切断の生じることがあった。
【０００５】
本発明は上記状況に鑑みてなされたもので、絡みや、ポールとの接触抵抗を低減できるジッパーテープの梱包構造を提供し、もって、ジッパーテープの変形不具合、取り出し不能や、切断、或いは箱内でのポールへの纏わり付きを防止して、良好な取り出し性の実現を図ることを目的とする。
【課題を解決するための手段】
【０００６】
次に、上記の課題を解決するための手段を、実施の形態に対応する図面を参照して説明する。
本発明の請求項１記載のジッパーテープの梱包構造は、一方の帯体３に形成した凹溝５を他方の帯体７に形成した凸条９に嵌合させて一対の帯体３，７同士を分離可能に結合してなる長尺のジッパーテープ１を上面２１の開口した箱体１１内に先端側より順次落下させて収納したジッパーテープ１の梱包構造であって、
前記箱体１１は、開口面から底面までの任意位置における収容空間横断面が同形状に形成され、
前記箱体１１内に敷設され前記底面と同形状の台板１５と、
該台板１５に前記箱体１１の内部高さＨと略同一高さで立設され基端２５ａから先端２５ｂに向かって徐々に細くなる錐体状に形成されたポール２５と、
を有し、
前記ポール２５は、前記基端２５ａの直径Ｄが前記箱体１１の辺方向内法長さＬの２０〜４０％の範囲で形成されたことを特徴とする。
【０００７】
このジッパーテープの梱包構造では、収容空間２３が箱体１１の底面に向かうほど狭くなり、輸送中におけるジッパーテープ１の移動や振れが抑止され、収容ジッパーテープ１の偏りによる絡みが防止される。また、ポール先端２５ｂが細いので、取り出し時におけるポール２５との接触抵抗が従来の円筒ポール１３に比べて大幅に低減される。
【０００８】
請求項２記載のジッパーテープの梱包構造は、前記ポール２５が、円錐形状であることを特徴とする。
【０００９】
このジッパーテープの梱包構造では、角部の無い円錐外周曲面にジッパーテープ１が接触し、ポール２５に接触したジッパーテープ１が滑りやすくなる。
【００１０】
請求項３記載のジッパーテープの梱包構造は、前記ポール２５Ａが、角錐形状であることを特徴とする。
【００１１】
このジッパーテープの梱包構造では、ジッパーテープ１が角錐形状の母線２９に沿って線接触し、接触抵抗が小さくなる。
【００１２】
請求項４記載のジッパーテープの梱包構造は、前記ポール２５Ａが、段ボール素材を母線２９で折り曲げて形成されたことを特徴とする。
【００１３】
このジッパーテープの梱包構造では、段ボール素材に、母線２９に沿った切り込みを入れることで、高精度に展開素材が形成され、形状精度の高い（形状にバラツキのない）角錐形状が製作可能となる。
【００１４】
請求項５記載のジッパーテープの梱包構造は、前記台板１５に複数の前記ポール２５が立設されたことを特徴とする。
【００１５】
このジッパーテープの梱包構造では、ポール２５が１本である場合に比べ、箱体底面での収容空間２３がさらに狭くなり、輸送中におけるジッパーテープ１の移動がより一層抑止される。
【００１６】
請求項６記載のジッパーテープの梱包構造は、前記箱体１１内に樹脂製袋３１が収容され、該樹脂製袋３１の内部に前記台板１５、前記ポール２５、及び前記ジッパーテープ１が収容されたことを特徴とする。
【００１７】
このジッパーテープの梱包構造では、ジッパーテープ１の収容が完了した後、樹脂製袋３１の開口が封鎖され、箱体１１が閉じられることで、ジッパーテープ１が二重構造で収容される。
【発明の効果】
【００１８】
本発明に係る請求項１記載のジッパーテープの梱包構造によれば、長尺のジッパーテープを先端側より落下させて箱体に収納したジッパーテープの梱包構造において、箱体内に敷設した台板と、台板に立設された錐体状のポールとを備え、ポールは、基端の直径が箱体の辺方向内法長さの２０〜４０％の範囲で形成されたので、収容空間が箱体の底面に向かうほど狭くなり、輸送中におけるジッパーテープの移動や振れを抑止し、収容ジッパーテープの偏りによる絡みを防止できる。また、ポール先端が細いので、取り出し時におけるポールとの接触抵抗を従来の円筒ポールに比べて大幅に低減できる。これにより、絡みによる取り出し不能や、切断、或いはポールへの纏わり付きを防止して、良好な取り出し性を実現できる。
【００１９】
請求項２記載のジッパーテープの梱包構造によれば、ポールが、円錐形状であるので、角部の無い円錐外周曲面にジッパーテープが接触することとなり、ジッパーテープの円滑な収納、及び取り出しが可能となる。
【００２０】
請求項３記載のジッパーテープの梱包構造によれば、ポールが、角錐形状であるので、ジッパーテープを角錐形状の母線に沿って線接触させることができ、接触抵抗を低減することができる。
【００２１】
請求項４記載のジッパーテープの梱包構造によれば、ポールが、段ボール素材を母線で折り曲げて形成されたので、形状精度の高い（形状にバラツキのない）角錐形状を容易に製作することができる。
【００２２】
請求項５記載のジッパーテープの梱包構造によれば、台板に複数のポールが立設されたので、ポールが１本である場合に比べ、箱体底面での収容空間がさらに狭くなり、輸送中におけるジッパーテープの移動をより一層抑止し、収容ジッパーテープの偏り起因する絡みをより確実に防止できる。
【００２３】
請求項６記載のジッパーテープの梱包構造によれば、箱体内に樹脂製袋が収容され、この樹脂製袋の内部に台板、ポール、及びジッパーテープが収容されたので、ジッパーテープを収容完了した後、樹脂製袋の開口を封鎖して、箱体を閉じることで、高い防塵性を得ることができる。
【発明を実施するための最良の形態】
【００２４】
以下、本発明に係るジッパーテープの梱包構造の好適な実施の形態を図面を参照して詳細に説明する。
図１は本発明に係るジッパーテープの梱包構造を表す斜視図、図２は図１に示したポール及び台板の斜視図、図３は図１の分解斜視図である。なお、図９〜図１２に示した部材と同一の部材には同一の符号し、重複する説明は省略するものとする。
本実施の形態によるジッパーテープの梱包構造は、一方の帯体３（図９参照）に形成した凹溝５を他方の帯体７に形成した凸条９に嵌合させて一対の帯体３，７同士を分離可能に結合してなる長尺のジッパーテープ１を図１に示す上面２１の開口した箱体１１内に先端側より順次落下させて収納したものである。
【００２５】
箱体１１は、段ボール素材を組み立ててなり、開口面から底面までの任意位置における収容空間２３の横断面が同形状に形成される。すなわち、本実施の形態において箱体１１は、立方体で形成されている。この他箱体１１は、直方体、円筒体等であってもよい。箱体１１の底面には底面と同形状の台板１５が敷設され、台板１５は段ボール素材からなる。台板１５の中央にはポール２５が立設され、ポール２５は箱体１１の内部高さＨと略同一高さｈとなり、且つ基端２５ａから先端２５ｂに向かって徐々に細くなる錐体状に形成されている。なお、ポール２５は、段ボール素材から形成できるが、より接触摩擦の小さい樹脂材料から形成してもよい。但し、台板１５とポール２５とを同一樹脂材料で一体形成する構造では、台板１５のジッパーテープ載置面を滑り止め処理することが、運搬中におけるジッパーテープ１の片寄りを抑止する点から望ましい。
【００２６】
ポール２５は、基端２５ａの直径Ｄが箱体１１の辺方向内法長さＬの２０〜４０％の範囲で形成されている。より好ましくは、基端２５ａの直径Ｄが箱体１１の辺方向内法長さＬの２５〜３５％の範囲で形成される。例えば箱体１１の辺方向内法長さＬが５０ｃｍである場合、ポール２５の基端２５ａの直径Ｄは、１５ｃｍで形成することができる。
【００２７】
ポール２５は、円錐形状で形成することができる。円錐形状のポール２５では、角部の無い円錐外周曲面にジッパーテープ１（図９参照）が接触し、ポール２５に接触したジッパーテープ１が滑りやすくなる。これにより、ジッパーテープ１の円滑な収納、及び取り出しが可能となる。
【００２８】
また、ポール２５が錐体であるので、従来の円筒形状と比較して、基端２５ａの直径Ｄを多くした分、先端２５ｂの直径ｄを小さくでき、その結果、収容空間２３の容積を円筒ポール１３（図１１参照）を設けた場合と同等とすることができる。これにより、本実施の形態によるジッパーテープ１の梱包構造では、従来と同様の約２０００ｍのジッパーテープ１が収容可能となっている。
【００２９】
ポール２５は、箱体１１と別体で形成した台板１５にポール２５を固定し、図３に示すように、箱体１１の開口から挿入することができる。この場合、ポール２５は、台板１５と一体の展開段ボール素材から組み立てられるものとしてもよい。さらに、ポール２５は、台板１５及び箱体１１と一体の展開段ボール素材から組み立てられるものとしてもよい。
【００３０】
図４は角錐形状のポールを用いた変形例の斜視図、図５は図４に示したポール及び台板の斜視図である。
また、ポール２５Ａは、図４に示す角錐形状であってもよい。この場合もポール２５Ａは、基端２５Ａａの直径Ｄが箱体１１の辺方向内法長さＬの２０〜４０％の範囲で形成されている。より好ましくは、基端２５Ａａの直径Ｄが箱体１１の辺方向内法長さＬの２５〜３５％の範囲で形成される。例えば箱体１１の辺方向内法長さＬが５０ｃｍである場合、ポール２５Ａの基端２５Ａａの直径Ｄは、１５ｃｍとされ、そして、先端２５Ａｂに向かって徐々に細くなる多角錐形状とされる。
【００３１】
ポール２５Ａが角錐形状の場合、ジッパーテープ１が角錐形状の母線２９に沿って線接触し、接触抵抗が小さくなる。これにより、接触抵抗を低減することができる。
【００３２】
特に角錐形状に形成したポール２５Ａは、段ボール素材を母線２９で折り曲げて容易に形成することができる。すなわち、段ボール素材に、母線２９に沿った切り込みを入れることで、高精度に展開素材が形成され、形状精度が高く、形状にバラツキのない角錐形状が製作可能となる。
【００３３】
図６はジッパーテープの収容状況を表す斜視図、図７はジッパーテープ取り出し状況をポールの円錐形状（ａ）、角錐形状（ｂ）別に表した説明図、図８は従来構造の収容空間を（ａ）、本発明構造の収容空間を（ｂ）に表した模式図である。
上記のジッパーテープ１の梱包構造では、図６に示すように、押出成形された製造直後のジッパーテープ１が先端側から箱体１１の上面開口へランダムに落下投入されて行く。この梱包構造では、落下投入時の箱体１１の上面開口面積が大きくなることで収容空間内への進入が容易なものとなり、また、図８（ｂ）に示すように、底面近傍における収容空間２３ａが、図８（ａ）に示す従来の円筒ポール１３を設けた梱包構造の底面近傍における収容空間２３ｂに比べ、箱体１１の底面（台板１５）に向かうほど狭くなり、すなわち、空間がすり鉢状となって、積層されるジッパーテープの自重の分散をポール壁面で受け、輸送中におけるジッパーテープ１の移動や振れが抑止される。これにより、収容ジッパーテープ１の偏りによる絡みを防止することができる。
【００３４】
また、図７に示すように、ポール２５（又はポール２５Ａ）の先端が細いので、取り出し時におけるポール２５（又はポール２５Ａ）との接触抵抗が従来の円筒ポール１３に比べて大幅に低減される。
【００３５】
なお、本発明に係るジッパーテープの梱包構造は、箱体１１内に樹脂製袋３１が収容され、樹脂製袋３１の内部に台板１５、ポール２５、及びジッパーテープ１が収容されるものとすることができる。樹脂製袋３１を追加することで、ジッパーテープ１の収容が完了した後、樹脂製袋３１の開口が封鎖され、箱体１１のフラップ１７が閉じられることで、ジッパーテープ１が二重構造で収容される。これにより、高い防塵性を得ることができる。
【００３６】
したがって、上記したジッパーテープ１の梱包構造によれば、長尺のジッパーテープ１を先端側より落下させて箱体１１に収納したジッパーテープ１の梱包構造において、箱体１１内に敷設した台板１５と、台板１５に立設された錐体状のポール２５とを備え、ポール２５は、基端２５ａの直径が箱体１１の辺方向内法長さＬの２０〜４０％の範囲で形成されたので、収容空間２３が箱体１１の底面に向かうほど狭くなり、輸送中におけるジッパーテープ１の移動や振れを抑止し、収容ジッパーテープ１の偏りによる絡みを防止できる。また、ポール先端２５ｂが細いので、取り出し時におけるポール２５との接触抵抗を従来の円筒ポール１３に比べて大幅に低減できる。これにより、絡みによる取り出し不能や、切断、或いはポール２５への纏わり付きを防止して、良好な取り出し性を実現できる。
【００３７】
なお、図示は省略するが、台板１５には複数のポールが立設されてもよい。複数のポールを設けたジッパーテープの梱包構造では、ポールが１本である場合に比べ、箱体底面での収容空間２３がさらに狭くなり、輸送中におけるジッパーテープ１の移動や振れがより一層抑止される。これにより、収容ジッパーテープ１の偏りに起因する絡みをより確実に防止できる。
【図面の簡単な説明】
【００３８】
【図１】本発明に係るジッパーテープの梱包構造を表す斜視図である。
【図２】図１に示したポール及び台板の斜視図である。
【図３】図１の分解斜視図である。
【図４】角錐形状のポールを用いた変形例の斜視図である。
【図５】図４に示したポール及び台板の斜視図である。
【図６】ジッパーテープの収容状況を表す斜視図である。
【図７】ジッパーテープ取り出し状況をポールの円錐形状（ａ）、角錐形状（ｂ）別に表した説明図である。
【図８】従来構造の収容空間を（ａ）、発明構造の収容空間を（ｂ）に表した模式図である。
【図９】ジッパーテープの長尺方向に直交する方向の断面図である。
【図１０】従来のジッパーテープの梱包構造を表す斜視図である。
【図１１】図１０に示したポール及び台板の斜視図である。
【図１２】従来構造におけるジッパーテープの取り出し状況を表した説明図である。
【符号の説明】
【００３９】
１…ジッパーテープ
３…一方の帯体
５…凹溝
７…他方の帯体
９…凸条
１１…箱体
１５…台板
２１…上面
２３…収容空間
２５，２５Ａ…ポール
２５ａ…基端
２５ｂ…先端
２９…母線
３１…樹脂製袋
Ｈ…箱体の内部高さ
Ｌ…辺方向内法長さ
【図１】
0004913682.tif 000002
【図２】
0004913682.tif 000003
【図３】
0004913682.tif 000004
【図４】
0004913682.tif 000005
【図５】
0004913682.tif 000006
【図６】
0004913682.tif 000007
【図７】
0004913682.tif 000008
【図８】
0004913682.tif 000009
【図９】
0004913682.tif 000010
【図１０】
0004913682.tif 000011
【図１１】
0004913682.tif 000012
【図１２】
0004913682.tif 000013